(57)【要約】【課題】より小さい力で折りたたみや設置ができ、かつ、引張コイルばねから不快な音が発生することのない、折りたたみ式ベッドを提供する。【解決手段】中間垂直材２を上方に持ち上げることで折りたたむことのできるベッド本体１において、ベッド本体１を折りたたむ方向に付勢する引張コイルばね16を、第１の滑車12、第２の滑車14を介して、端面上材８と中間材９との間に繋いだ。ベッド本体１の振動が引張コイルばね16に伝わりにくくなり、引張コイルばね16から不快な音が発生することが防止される。【選択図】図１
2020171401.tif 000002
【特許請求の範囲】
【請求項１】
両側面において、側面の中央に設けられた中間垂直材と、側面の端部に設けられた端部垂直材と、前記中間垂直材の上部と前記端部垂直材の上部とにピン結合された側面上材と、前記中間垂直材の下部と前記端部垂直材の下部とにピン結合された側面下材とによって形成された平行四辺形リンク機構を前記中間垂直材の両側に備えるとともに、両側面の対向する前記端部垂直材同士を結合する端面下材と、前記端面下材又は前記端部垂直材の下部に設けられ垂直方向に弾性を有するキャスターとを備え、前記中間垂直材を上方に持ち上げることで折りたたむことのできる折りたたみ式ベッドであって、
両側面の対向する前記中間垂直材同士を結合する中間材と、両側面の対向する前記側面上材同士を前記折りたたみ式ベッドの端部において結合する端面上材と、前記中間材と前記端面上材との間に設けられ前記折りたたみ式ベッドを折りたたむ方向に付勢する引張コイルばねを備え、前記引張コイルばねは、前記中間材又は前記端面上材に設けられた滑車を介して、前記端面上材と前記中間材との間に繋がれたことを特徴とする折りたたみ式ベッド。
【請求項２】
前記引張コイルばねは、前記中間材に設けられた第１の滑車と前記端面上材に設けられた第２の滑車とを介して、前記端面上材と前記中間材との間に繋がれたことを特徴とする請求項１記載の折りたたみ式ベッド。
【請求項３】
前記引張コイルばねと前記第１の滑車との間を繋ぐ棒状の第１の接続金具を備え、前記第１の接続金具にゴムが被覆されたことを特徴とする請求項２記載の折りたたみ式ベッド。
【請求項４】
前記引張コイルばねと前記第２の滑車との間を繋ぐ棒状の第２の接続金具を備え、前記第２の接続金具にゴムが被覆されたことを特徴とする請求項２記載の折りたたみ式ベッド。
【発明の詳細な説明】
【技術分野】
【０００１】
本発明は、小さい力で簡単に折りたたみや設置ができる折りたたみ式ベッドに関する。
【背景技術】
【０００２】
従来、移動を容易にするために車輪を設けた、折りたたみ式ベッドが知られている。しかし、車輪を設けた折りたたみ式ベッドは、設置する床面に車輪による圧痕が残るという問題があった。この問題は、特に、床面が畳や絨毯などの柔らかい素材で構成されている場合おいて顕著であった。
【０００３】
この問題を解決するために、特許文献１には、設置したときに車輪を床面から浮かせる構成とし、床面に車輪による圧痕が生じないようにした折りたたみ式ベッドが開示されている。しかし、この特許文献１に開示された折りたたみ式ベッドでは、設置した状態においては車輪が床面から浮いているため、移動することができないという問題があった。
【０００４】
そこで、本発明者は、特許文献２に開示されている折りたたみ式ベッドを考案した。この折りたたみ式ベッドは、車輪として垂直方向に弾性を有するキャスターを採用したものであり、折りたたみ式ベッドの自重のみが作用しているときは、キャスターによって移動することができる。一方で、所定の荷重以上の荷重が作用すると、折りたたみ式ベッドの端部垂直材、中間垂直材、端面下材の下端が床面に接して荷重の大部分を受け止めるため、床面に車輪による圧痕が残ることを防止することができる。
【先行技術文献】
【特許文献】
【０００５】
【特許文献１】特許第４１８５９６７号公報
【特許文献２】登実第３１７３８９８号公報
【発明の概要】
【発明が解決しようとする課題】
【０００６】
本発明者は、特許文献２に開示されている折りたたみ式ベッドをさらに改良して、より小さい力で折りたたみや設置ができるように、折りたたみ式ベッドにばねを設けることを検討した。そして、特許文献２に開示されている折りたたみ式ベッドにおいて、２つの中間垂直材間を接続する中間材を設け、中間材と一端の端面上材の間と、中間材と他端の端面上材の間にそれぞれ、折りたたみ式ベッドを折りたたむ方向に付勢する引張コイルばねを設けたところ、より小さい力で折りたたみや設置をすることが可能になった。しかし、折りたたみ式ベッドの振動が引張コイルばねに伝わり、ばねが振動して不快な音が発生するという問題が新たに生じることが分かった。また、ばねが振動して発生する音は床に伝わりやすく、特に集合住宅で使用する場合には、階下にまで音が響いてしまうという問題が生じることが分かった。
【０００７】
そこで、本発明は、より小さい力で折りたたみや設置ができ、かつ、引張コイルばねから不快な音が発生することのない、折りたたみ式ベッドを提供することを目的とする。
【課題を解決するための手段】
【０００８】
本発明の折りたたみ式ベッドは、両側面において、側面の中央に設けられた中間垂直材と、側面の端部に設けられた端部垂直材と、前記中間垂直材の上部と前記端部垂直材の上部とにピン結合された側面上材と、前記中間垂直材の下部と前記端部垂直材の下部とにピン結合された側面下材とによって形成された平行四辺形リンク機構を前記中間垂直材の両側に備えるとともに、両側面の対向する前記端部垂直材同士を結合する端面下材と、前記端面下材又は前記端部垂直材の下部に設けられ垂直方向に弾性を有するキャスターとを備え、前記中間垂直材を上方に持ち上げることで折りたたむことのできる折りたたみ式ベッドであって、両側面の対向する前記中間垂直材同士を結合する中間材と、両側面の対向する前記側面上材同士を前記折りたたみ式ベッドの端部において結合する端面上材と、前記中間材と前記端面上材との間に設けられ前記折りたたみ式ベッドを折りたたむ方向に付勢する引張コイルばねを備え、前記引張コイルばねは、前記中間材又は前記端面上材に設けられた滑車を介して、前記端面上材と前記中間材との間に繋がれたことを特徴とする。
【０００９】
また、前記引張コイルばねは、前記中間材に設けられた第１の滑車と前記端面上材に設けられた第２の滑車とを介して、前記端面上材と前記中間材との間に繋がれたことを特徴とする。
【００１０】
また、前記引張コイルばねと前記第１の滑車との間を繋ぐ棒状の第１の接続金具を備え、前記第１の接続金具にゴムが被覆されたことを特徴とする。
【００１１】
また、前記引張コイルばねと前記第２の滑車との間を繋ぐ棒状の第２の接続金具を備え、前記第２の接続金具にゴムが被覆されたことを特徴とする。
【発明の効果】
【００１２】
本発明の折りたたみ式ベッドによれば、前記中間材と前記端面上材との間に設けられ前記ベッドを折りたたむ方向に付勢する引張コイルばねを備えたことにより、より小さい力で折りたたみができるとともに、広げて設置するときは、ベッドの自重の一部が引張コイルばねにより支えられるため、より小さい力で設置することができる。また、前記引張コイルばねが、前記中間材又は前記端面上材に設けられた滑車を介して、前記端面上材と前記中間材との間に繋がれたことにより、折りたたみ式ベッドの振動が引張コイルばねに伝わりにくくなって、引張コイルばねから不快な音が発生することが防止される。
【００１３】
また、前記引張コイルばねが、前記中間材に設けられた第１の滑車と前記端面上材に設けられた第２の滑車とを介して、前記端面上材と前記中間材との間に繋がれたことにより、引張コイルばねから不快な音が発生することが確実に防止される。
【００１４】
また、前記引張コイルばねと前記第１の滑車との間を繋ぐ棒状の第１の接続金具を備え、前記第１の接続金具にゴムが被覆されたことにより、接続金具の振動が防止され、不快な音が発生することが防止される。
【００１５】
また、前記引張コイルばねと前記第２の滑車との間を繋ぐ棒状の第２の接続金具を備え、前記第２の接続金具にゴムが被覆されたことにより、接続金具の振動が防止され、不快な音が発生することが防止される。
【図面の簡単な説明】
【００１６】
【図１】本発明の折りたたみベッドの一実施形態における、広げた状態を示す斜視図である。
【図２】同上、広げた状態を示す断面図である。
【図３】同上、折りたたんだ状態を示す断面図である。
【図４】同上、第１の滑車とその取り付け金具の斜視図である。
【図５】同上、第２の滑車とその取り付け金具の斜視図である。
【図６】同上、引張コイルばねの接続金具の正面図である。
【図７】同上、布団干しをする状態を示す斜視図である
【発明を実施するための形態】
【００１７】
本発明の折りたたみ式ベッドの一実施形態について、添付した図面を参照しながら説明する。
【００１８】
本実施例の折りたたみ式ベッドとしてのベッド本体１を広げた状態を示す図１を参照すると、ベッド本体１の両側面において、中央には、それぞれ中間垂直材２が設けられ、両側の端部には、それぞれ端部垂直材３が設けられている。中間垂直材２の上部と端部垂直材３の上部には、側面上材４がピン結合され、中間垂直材２の下部と端部垂直材３の下部には、側面下材５がピン結合されている。このようにして、ベッド本体１の両側面において、中間垂直材２、端部垂直材３、側面上材４、側面下材５によって、中間垂直材２の両側に平行四辺形リンク機構が形成されている。
【００１９】
ベッド本体１の両側面の対向する端部垂直材３同士は、端面下材６によって結合されている。端面下材６は、端部垂直材３と下端を揃えて結合されており、端面下材６の下部には、複数の切り欠き部６ａが形成されている。そして、それぞれの切り欠き部６ａには、ばねを内蔵し、垂直方向に弾性を有するキャスター７が設けられている。そして、ベッド本体１の自重のみが作用しているときは、キャスター７によって移動することができる一方で、所定の荷重以上の荷重が作用すると、荷重によりキャスター７に内蔵されたばねが収縮して、キャスター７が上方に移動して切り欠き部６ａに納まり、端面下材６のほか、中間垂直材２、端部垂直材３の下端が床面に接して所定の荷重以上の荷重を受けるようになっている。なお、キャスター７を端部垂直材３の下部に設ける構成としてもよく、端面下材６と端部垂直材３の両方の下部に設ける構成としてもよい。
【００２０】
また、ベッド本体１の両側面の対向する側面上材４同士は、ベッド本体１の端部と中央部において、それぞれ端面上材８，８’により結合されており、側面上材４と端面上材８，８’により、布団等が載置される床板の枠が形成されている。
【００２１】
このように、本実施例の折りたたみ式ベッドは、中間垂直材２、端部垂直材３、側面上材４、側面下材５からなる平行四辺形リンク機構を採用し、垂直方向に弾性を有するキャスター７を設けた構成により、中間垂直材２を上方に持ち上げるだけで、ベッド本体１を折りたたむことができるようになっている。
【００２２】
ベッド本体１を広げた状態と折りたたんだ状態の断面を示す図２、図３を参照すると、ベッド本体１の両側面の対向する中間垂直材２同士は、中間材９によって結合されている。ベッド本体１を広げた状態において、中間材９は、端面上材８’の下端に接して端面上材８’を支えるようになっている。
【００２３】
中間材９の下端には、第１の取り付け金具11が取り付けられ、第１の取り付け金具11の下部には、図４に示すように２つの第１の滑車12が取り付けられている。第１の取り付け金具11は、上下方向に長く形成されており、第１の滑車12は、ベッド本体１を広げた状態において、ベッド本体１の略中央部に位置している。また、ベッド本体１を広げた状態において、ベッド本体１の端部に位置する端面上材８の下端には、第２の取り付け金具13が取り付けられ、第２の取り付け金具13には、図５に示すように第２の滑車14が取り付けられている。第２の滑車14は、端面上材８の近傍に位置している。なお、後述する引張コイルばねの付勢力を有効に活用するために、第１の滑車12は、できるだけ下方に位置させた方が好ましく、第２の滑車14は、できるだけ上方に位置させた方が好ましい。
【００２４】
第１の滑車12には、両端がＪ字状に曲げられた棒状の第１の接続金具15の一端が係止され、第１の接続金具15の他端は、引張コイルばね16の一端が係止されている。引張コイルばね16の他端は、両端がＪ字状に曲げられた棒状の第２の接続金具17の一端に係止され、第２の接続金具17の他端は、第２の滑車14に係止されている。このようにして、中間材９と端面上材８の間に、ベッド本体１を折りたたむ方向に付勢する引張コイルばね16が設けられ、引張コイルばね16は、中間材９に設けられた第１の滑車12と端面上材８に設けられた第２の滑車14を介して、端面上材８と中間材９の間に繋がれている。なお、本実施形態に限らず、第１の滑車12と第２の滑車14のいずれかを省略した変形実施も可能である。
【００２５】
図６に示すように、第１の接続金具15と第２の接続金具17には、略全長にわたってゴム18が被覆されている。なお、ゴム18の材質は、特定のものに限定されないが、耐久性を考慮するとシリコーン製のものが好ましい。
【００２６】
図７には、布団干しをする状態を示す。ベッド本体１は、完全に折りたたまずに少し広げた状態にし、左右の端部垂直材３の上面に形成された穴に、開き止め金具19の両端が差し込まれている。この状態でベッド本体１の上に布団を載置することで、布団干しができるようになっている。
【００２７】
つぎに、作用効果について説明する。
【００２８】
図１に示すベッド本体１の中間垂直材２を上方に持ち上げると、中間垂直材２、端部垂直材３、側面上材４、側面下材５からなる平行四辺形リンク機構により、ベッド本体１は、図２に示す広げた状態から、図３に示す折りたたんだ状態になる。このとき、キャスター７によりベッド本体１が支持されていることと、引張コイルばね16によりベッド本体１を折りたたむ方向に付勢されていることにより、より小さい力で中間垂直材２を持ち上げてベッド本体１を折りたたむことができる。
【００２９】
ベッド本体１を広げるときは、左右の端部垂直材３、側面上材４、又は側面下材５を広げながら、中間垂直材２を下げる。このときも、キャスター７によりベッド本体１が支持されていることと、引張コイルばね16によりベッド本体１を折りたたむ方向に付勢されていることにより、より小さい力で中間垂直材２を持ちながらベッド本体１を広げることができる。また、ベッド本体１を広げた状態において、図２に示すように、中間材９が端面上材８’の下端に接して端面上材８’を支えるため、側面上材４と端面上材８，８’により形成される床板の枠の位置が安定するとともに、より大きな荷重を支えることができる。
【００３０】
ベッド本体１を広げた状態において、所定の荷重以上の荷重が作用すると、図２に示すように、その荷重によって垂直方向に弾性を有するキャスター７が端面下材６の切り欠き部６ａの中に納まる。そして、端面下材６、中間垂直材２、端部垂直材３の下端が床面に接するため、キャスター７に所定の荷重以上の荷重がかかることがない。したがって、床面にキャスター７による圧痕が残ることが防止される。
【００３１】
ベッド本体１を広げたり畳んだりするときや、ベッド本体１に荷重がかかって端面下材６、中間垂直材２、端部垂直材３の下端が床面に接するときなどに、ベッド本体１から振動が発生する場合がある。そのような場合であっても、図２〜図５に示すように、引張コイルばね16は、中間材９に設けられた第１の滑車12と端面上材８に設けられた第２の滑車14を介して、端面上材８と中間材９の間に繋がれているため、第１の滑車12と第２の滑車14の回転によりベッド本体１の振動が吸収される。したがって、ベッド本体１の振動は、第１の接続金具15、第２の接続金具17、引張コイルばね16には伝わりにくくなり、その結果、第１の接続金具15、第２の接続金具17、引張コイルばね16から不快な音が発生することが防止される。さらに、図６に示すように、第１の接続金具15と第２の接続金具17には、ゴム18が被覆されているため、第１の接続金具15と第２の接続金具17の振動がゴム18により抑えられることによっても、振動による不快な音の発生が防止される。
【００３２】
布団干しをする場合においては、図７に示すように、ベッド本体１は、完全に折りたたまずに少し広げた状態になっているため、完全に折りたたんだ場合と比較して安定して倒れにくい。また、左右の端部垂直材３の上面に形成された穴に、開き止め金具19の両端が差し込まれているため、端部垂直材３の位置が固定され、ベッド本体１の上に布団が載置されたときにベッド本体１が広がることが防止される。
【００３３】
以上のように、本実施例の折りたたみ式ベッドは、両側面において、側面の中央に設けられた中間垂直材２と、側面の端部に設けられた端部垂直材３と、前記中間垂直材２の上部と前記端部垂直材３の上部とにピン結合された側面上材４と、前記中間垂直材２の下部と前記端部垂直材３の下部とにピン結合された側面下材５とによって形成された平行四辺形リンク機構を前記中間垂直材２の両側に備えるとともに、両側面の対向する前記端部垂直材３同士を結合する端面下材６と、前記端面下材６又は前記端部垂直材３の下部に設けられ垂直方向に弾性を有するキャスター７とを備え、前記中間垂直材２を上方に持ち上げることで折りたたむことのできる折りたたみ式ベッドとしてのベッド本体１であって、両側面の対向する前記中間垂直材２同士を結合する中間材９と、両側面の対向する前記側面上材４同士を前記ベッド本体１の端部において結合する端面上材８と、前記中間材９と前記端面上材８との間に設けられ前記ベッド本体１を折りたたむ方向に付勢する引張コイルばね16を備え、前記引張コイルばね16は、前記中間材９又は前記端面上材８に設けられた滑車としての第１の滑車12、第２の滑車14を介して、前記端面上材８と前記中間材９との間に繋がれたものであり、前記中間材９と前記端面上材８との間に設けられ前記ベッド本体１を折りたたむ方向に付勢する引張コイルばね16を備えたことにより、より小さい力で折りたたみができるとともに、広げて設置するときは、ベッド本体１の自重の一部が引張コイルばね16により支えられるため、より小さい力で設置することができる。また、前記引張コイルばね16が、前記中間材９又は前記端面上材８に設けられた第１の滑車12、第２の滑車14を介して、前記端面上材８と前記中間材９との間に繋がれたことにより、ベッド本体１の振動が引張コイルばね16に伝わりにくくなって、引張コイルばね16から不快な音が発生することが確実に防止される。
【００３４】
また、前記引張コイルばね16と前記第１の滑車12との間を繋ぐ棒状の第１の接続金具15を備え、前記第１の接続金具15にゴム18が被覆され、前記引張コイルばね16と前記第２の滑車14との間を繋ぐ棒状の第２の接続金具17を備え、前記第２の接続金具17にゴム18が被覆されたことにより、接続金具の振動が防止され、不快な音が発生することが防止される。
【００３５】
以上、本発明の一実施形態について説明したが、本発明は本実施形態に限定されるものではなく、種々の変更実施が可能である。例えば、第１の滑車12、第２の滑車14のいずれかを省略してもよく、第１の接続金具15、第２の接続金具17の一方又は両方を省略してもよい。
【符号の説明】
【００３６】
１  ベッド本体（折りたたみ式ベッド）
２  中間垂直材
３  端部垂直材
４  側面上材
５  側面下材
６  端面下材
７  キャスター
８  端面上材
９  中間材
12  第１の滑車（滑車）
14  第２の滑車（滑車）
15  第１の接続金具
16  引張コイルばね
17  第２の接続金具
18  ゴム
【図１】
2020171401.tif 000003
【図２】
2020171401.tif 000004
【図３】
2020171401.tif 000005
【図４】
2020171401.tif 000006
【図５】
2020171401.tif 000007
【図６】
2020171401.tif 000008
【図７】
2020171401.tif 000009